(57)【要約】【課題】屋内の所望の部屋間で室内空気を移動させ、各部屋の熱エネルギーを必要に応じて有効に活用することができる空気流通システムを提供する。【解決手段】部屋２〜５は、ダクト２０と各部屋の給排気装置２１ａ〜２１ｄとから構成された空気移動手段によって、相互に室内空気の移動が可能とされている。操作器２０を操作することで、室内空気の供給元の部屋と供給先の部屋とを設定することが可能である。コントローラ１９は、操作器２０により設定された供給元の部屋から、供給先の部屋に室内空気を移動させるように給排気装置２１ａ〜２１ｄの運転を制御する。【選択図】図１
2004293851.tif 000002
【特許請求の範囲】
【請求項１】
屋内の複数の部屋を互いに連通させる空気流通路を介して該複数の部屋間で相互に室内空気を移動可能に設けられた空気移動手段と、前記複数の部屋の中から、室内空気の供給元の部屋と供給先の部屋とを所定の操作に応じて設定する操作手段と、該操作手段により設定された供給元の部屋から供給先の部屋に室内空気を移動させるように前記空気移動手段を制御する制御手段とを備えたことを特徴とする屋内の空気流通システム。
【請求項２】
前記空気移動手段は、前記供給元の部屋から供給先の部屋への室内空気の移動量を調整する手段を有すると共に、前記操作手段は、該供給元の部屋から供給先の部屋への室内空気の移動量をさらに所定の操作に応じて設定する手段をさらに備え、前記制御手段は、該操作手段で設定された移動量に応じて前記空気移動手段による供給元の部屋から供給先の部屋への室内空気の移動量を制御することを特徴とする請求項１記載の屋内の空気流通システム。
【請求項３】
前記空気移動手段は、前記空気流通路から各部屋への空気の送風量を調整する手段を備えると共に、前記操作手段は、複数の供給先の部屋が設定されたとき、それらの複数の供給先の部屋に対する供給元の部屋の室内空気の分配割合をさらに所定の操作に応じて設定する手段を備え、前記制御手段は、前記操作手段により設定された分配割合で供給元の部屋から供給先の各部屋に室内空気を移動させるように前記空気移動手段による供給先の各部屋への送風量を制御することを特徴とする請求項１又は２記載の屋内の空気流通システム。
【発明の詳細な説明】
【０００１】
【発明の属する技術分野】
本発明は、屋内の複数の部屋間で相互に室内空気を流通させるシステムに関する。
【０００２】
【従来の技術】
屋内の複数の部屋の暖房や冷房を行う空調システムとしては、例えば特開平１１−２４１８４９号公報に見られるように、和室、洋室等の主要な部屋毎に空調装置を設けたものが一般に知られている。このようなシステムでは、人が在室する部屋において空調装置を運転させて、その部屋の暖房や冷房が行われる。
【０００３】
また、例えば特開平５−１７２３７１号公報に見られるように、各部屋に通じる給気ダクトおよび排気ダクトを備えた一体型集中空調システムも知られている。このシステムでは、人が在室する部屋において、給気口および排気口に備えられたダンパを所望の開度で開くことにより、その部屋の暖房や冷房が行われる。
【０００４】
しかしながら、これらのシステムでは、例えば冬季において、昼間に太陽熱により十分に暖かい温度に暖められる部屋が存在したり、あるいは、過去の暖房の熱が十分に残っている部屋が存在しても、その部屋の熱エネルギーの多くは、その部屋内で自然放熱によって失われてしまう。また、例えば夏季において、北向きの部屋等、十分に涼しい室温になっている部屋が存在したり、過去の冷房により十分に涼しい冷気が残っている部屋が存在しても、その部屋の冷気の多くは、単に外気との間の自然な熱伝達によって失われてしまう。
【０００５】
つまり、従来のシステムでは、屋内の部屋の熱エネルギーの多くを自然に消失させており、エネルギーの利用効率が悪いものとなっていた。
【０００６】
【特許文献１】
特開平１１−２４１８４９号公報
【特許文献２】
特開平５−１７２３７１号公報
【０００７】
【発明が解決しようとする課題】
本発明はかかる背景に鑑みてなされたものであり、屋内の所望の部屋間で室内空気を移動させ、各部屋の熱エネルギーを必要に応じて有効に活用することができる空気流通システムを提供することを目的とする。
【０００８】
【課題を解決するための手段】
本発明の屋内の空気流通システムは、前記の目的を達成するために、屋内の複数の部屋を互いに連通させる空気流通路を介して該複数の部屋間で相互に室内空気を移動可能に設けられた空気移動手段と、前記複数の部屋の中から、室内空気の供給元の部屋と供給先の部屋とを所定の操作に応じて設定する操作手段と、該操作手段により設定された供給元の部屋から供給先の部屋に室内空気を移動させるように前記空気移動手段を制御する制御手段とを備えたことを特徴とする。
【０００９】
かかる本発明によれば、使用者が前記操作手段の操作によって、室内空気の供給元の部屋と供給先の部屋とを設定すると、前記制御手段による前記空気移動手段の制御によって、設定された供給元の部屋の室内空気が供給先の部屋に移動する。このため、例えば冬季において、太陽熱により暖まっている部屋や過去の暖房の余熱が未だ残っているような部屋がある場合には、その部屋を供給元の部屋として設定し、また、使用者が暖めたいと望む部屋を供給先の部屋として設定すれば、供給元の部屋の暖められた室内空気を利用して、供給先の部屋を暖めることができる。また、例えば夏季において、北向きの部屋等のように通常的に涼しい部屋や過去の冷房によって未だ冷気が残っているような部屋がある場合には、その部屋を供給元の部屋として設定し、また、使用者が冷やしたいと望む部屋を供給先の部屋として設定すれば、供給元の部屋の冷えた室内空気を利用して、供給先の部屋を冷やすことができる。
【００１０】
このように、本発明のシステムによれば、前記操作手段の操作によって設定した所望の部屋間で室内空気を移動させることができ、各部屋の熱エネルギーを必要に応じて有効に活用することができる。
【００１１】
かかる本発明では、前記空気移動手段は、前記供給元の部屋から供給先の部屋への室内空気の移動量を調整する手段を有すると共に、前記操作手段は、該供給元の部屋から供給先の部屋への室内空気の移動量をさらに所定の操作に応じて設定する手段をさらに備え、前記制御手段は、該操作手段で設定された移動量に応じて前記空気移動手段による供給元の部屋から供給先の部屋への室内空気の移動量を制御することが好ましい。
【００１２】
これによれば、供給元の部屋から供給先の部屋への室内空気の移動量を使用者が所望の移動量に設定できる。ここで、該移動量を多くすれば、供給先の部屋の室温を速やかに供給元の部屋の室温に近づけることができ、該移動量を少なくすれば、供給先の部屋の室温をゆっくりと供給元の部屋の室温に近づけることができる。従って、上記移動量の設定によって、供給先の部屋の室温変化を使用者の好みに合わせることができる。
【００１３】
なお、上記移動量は、供給元の部屋から前記空気流通路への吸入空気量の総量、あるいは、該空気流通路から供給先の部屋への送風量の総量に等しい。
【００１４】
また、本発明では、前記空気移動手段は、前記空気流通路から各部屋への空気の送風量を調整する手段を備えると共に、前記操作手段は、複数の供給先の部屋が設定されたとき、それらの複数の供給先の部屋に対する供給元の部屋の室内空気の分配割合をさらに所定の操作に応じて設定する手段を備え、前記制御手段は、前記操作手段により設定された分配割合で供給元の部屋から供給先の各部屋に室内空気を移動させるように前記空気移動手段による供給先の各部屋への送風量を制御することが好ましい。
【００１５】
これによれば、使用者が、操作手段の操作によって、供給先の部屋として、複数の部屋を設定するとき、供給元の部屋からの室内空気の、供給先の各部屋への分配割合を設定できるので、供給先の複数の部屋のそれぞれの室温を供給元の室温に近づけつつ、供給先の各部屋毎の室温変化を使用者の好みに合わせることができる。
【００１６】
【発明の実施の形態】
本発明の屋内の空気流通システムの一実施形態を図１〜図４を参照して説明する。
【００１７】
図１は本実施形態における屋内としての家屋１の内部の概略構成を示す平面図であり、この家屋１内には、和室２、洋室３（この例では居室、兼食堂の部屋）、脱衣室４、バス・トイレ室５等の部屋が備えられ、それらの部屋２〜５が壁やドア、ふすま等を介して区画されている。なお、この例では、脱衣室４は、玄関６に通じている。
【００１８】
これらの部屋２〜５のうち、和室２には、冷暖房運転が可能なエアコン装置７（図では室外機は省略している）が配置されている。また、和室２の壁には、和室２内と屋外との間の空気の流通を可能とする通気口８が設けられている。なお、この例では、和室２の空調手段として、冷暖房運転が可能なエアコン装置７を備えたが、冷房、暖房のいずれかのみが可能なものであってもよく、あるいは、エアコン装置、ファンヒータ、ホットカーペット、ストーブ等（電気式、燃焼式を問わない）、複数種類の空調手段が備えられていてもよい。さらには、空調手段が備えられていなくてもよい。
【００１９】
洋室３には、空調手段として、例えば冷暖房運転が可能なエアコン装置９（図では室外機は省略している）、ファンヒータ１０、および床暖房装置１１が設けられている。さらに、洋室３内の換気を行うための換気扇装置１２が洋室３の壁に取り付けられている。また、洋室３内の壁には、洋室３内と屋外との間の空気の流通を可能とする通気口１３が設けられている。
【００２０】
なお、洋室３の空調手段は、和室２の場合と同様、冷房、暖房のいずれかのみが可能なものであってもよく、あるいは、エアコン装置、ファンヒータ、ホットカーペット、ストーブ等（電気式、燃焼式を問わない）、複数種類の空調手段が備えられていてもよい。さらには、空調手段が備えられていなくてもよい。
【００２１】
また、脱衣室４に通じる玄関６の壁と、バス・トイレ室５の壁とには、それぞれの部屋内と屋外との間の空気の流通を可能とする通気口１４，１５が設けられている。
【００２２】
なお、本実施形態では、和室２、洋室３、玄関６（脱衣室４に通じる箇所）、およびバス・トイレ室５にそれぞれ通気口８，１３，１４，１５を備えているが、それらは、各部屋２〜５に外気が流通し得る程度のものであればよく、単なる隙間等であってもよい。
【００２３】
また、前記和室２、洋室３、脱衣室４およびバス・トイレ室５には、それぞれの部屋の室温を検出する室温検出手段としての室温センサ１６ａ，１６ｂ，１６ｃ，１６ｄがそれぞれ設けられている。
【００２４】
さらに、前記和室２、洋室３、脱衣室４およびバス・トイレ室５の天井には、これらの部屋にまたがってダクト１７が配管されている。このダクト１７は、各部屋２〜５の内部空間を相互に連通させるものであり、各部屋２〜５の箇所に給排気口１７ａ，１７ｂ，１７ｃ，１７ｄを備えている。そして、各給排気口１７ａ〜１７ｄには、図示を省略するファンおよびその駆動モータにより構成された給排気装置１８ａ，１８ｂ，１８ｃ，１８ｄが装着されている。この場合、各給排気装置１８ａ〜１８ｄのファンは、正逆両方向に回転可能となっており、例えば該ファンの正転によって、ダクト１７内からそれぞれの部屋２〜５に空気を給気（送風）し、また、ファンの逆転によって、それぞれの部屋２〜５内の空気をダクト１７内に吸引する。この場合、ファンの回転速度を調整することで、各給排気装置１８ａ〜１８ｄの給気量（送風量）や、吸引量を調整することが可能である。また、ダクト１７の各給排気口１７ａ〜１７ｄは、それぞれに対応する給排気装置１８ａ〜１８ｄの運転停止中は、図示しない電磁弁等により閉塞されるようになっている。なお、上記ダクト１７は本発明における空気流通路に相当し、また、該ダクト１７および給排気装置１８ａ〜１８ｄは、本発明における空気移動手段を構成するものである。
【００２５】
家屋１内の適所、例えば洋室３には、本実施形態のシステムの制御を行なうコントローラ１９が設けられている。さらに、該コントローラ１９の外面部には、各部屋２〜５における給排気装置１８ａ〜１８ｄの風向等の設定操作を行うための操作器２０が装着されている。なお、操作器２０はコントローラ１９とは別の箇所（例えば洋室３の壁）に設置されていてもよく、あるいは、携帯自在なものであってもよい。
【００２６】
操作器２０は、本発明における操作手段に相当するものであり、例えば図２に示すように、部屋名や各部屋の室温、各部屋の設定情報等を表示する表示部２１と、風向の設定等を行う部屋を選択するための部屋選択スイッチ２２と、該部屋選択スイッチ２２により選択した部屋の給排気装置の風向および風量をそれぞれ設定するための風向設定スイッチ２３および風量設定スイッチ２４とが備えられている。この場合、部屋選択スイッチ２２を操作する毎に、あらかじめ登録された部屋２〜５の部屋名（和室、洋室等）が順番に表示部２１に表示されると同時に、その表示された部屋の室温センサにより検出される現在室温（検出室温）と、その部屋に対応して現在設定されている風向および風量とが表示部２１に表示されるようになっている。
【００２７】
そして、部屋選択スイッチ２２により選択された部屋の表示中に、風向設定スイッチ２３を操作することで、表示中の部屋へのダクト１７からの給気（送風）を行うか、表示中の部屋からダクト１７への室内空気の吸引を行うか、あるいは、該給気及び吸引のいずれも行わないかの設定を行うことが可能となっている。より具体的には、風向設定スイッチ２３は、「入」ボタン２３ａと、「ＯＦＦ」ボタン２３ｂと、「出」ボタン２３ｃとから構成されており、「入」ボタン２３ａを操作したときには、表示部２１に表示中の部屋は、ダクト１７からその部屋への給気（送風）を行うべき部屋、すなわち、室内空気の供給先の部屋として設定される。また、「出」ボタン２３ｃを操作したときには、表示中の部屋は、その部屋からダクト１７への室内空気の吸引を行うべき部屋、すなわち、室内空気の供給先の部屋として設定される。また、「ＯＦＦ」ボタン２３ｂを操作したときには、表示中の部屋は、室内空気の給気及び吸引のいずれをも行わない部屋、すなわち、供給先および供給元のいずれでもない部屋として設定される。なお、本実施形態では、室内空気の供給元になり得る部屋は、バス・トイレ室５を除く部屋２〜４のうちの１つの部屋に定められており、部屋２〜４のいずれかを部屋選択スイッチ２２により選択して表示部２１に表示させた状態で風向設定スイッチ２４の「出」ボタン２４ｃを操作し、その表示中の部屋を供給元の部屋に設定したときには、その他の部屋（バス・トイレ室５を含む）は、供給元の部屋としては設定できないようになっている。
【００２８】
また、操作器２０は、上記のように風向を設定した後、風量設定スイッチ２４を操作することで、表示部２１に表示中の部屋の給排気装置の風量を設定することが可能となっている。この場合、本実施形態では、風量設定スイッチ２４の操作により設定可能な風量は、供給元の部屋に関しては、その部屋の給排気装置の吸引量（これは供給先の全ての部屋に対する総風量に等しい）であり、これは、風量設定スイッチ２４を構成するアップスイッチ２４ａ又はダウンスイッチ２４ｂを操作することで、例えば大、中、小の３段階の風量に設定することが可能となっている。また、供給先の部屋に関しては、風量設定スイッチ２４の操作により設定可能な風量は、供給元の部屋における室内空気のダクト１７への吸引量のうち、当該供給先の部屋に送風する風量の分配割合（供給先の全ての部屋に供給し得る総風量に対する相対風量）であり、これは、風量設定スイッチ２４のアップスイッチ２４ａ又はダウンスイッチ２４ｂを操作することで、例えば百分率で１０％ずつ、可変的に設定することが可能となっている。なお、供給先の部屋として設定した部屋が１つのみである場合には、その供給先の部屋に対する相対風量は自動的に１００％に設定される。
【００２９】
なお、本実施形態では、部屋選択スイッチ２２の操作により、１つの部屋づつ、その部屋の現在室温や、風量及び風向の設定情報等が表示部２１に表示されるようにしたが、表示部２１に、全ての部屋の、現在室温や、風向、風量等の設定情報が一括的（同時に）表示されるようにしてもよい。このようにすれば、使用者が、上述したような室内空気の供給元および供給先の部屋の設定（各部屋の風向設定）や、それらの部屋間の室内空気の移動量（各部屋の風量設定）の設定等を容易に行うことができる。
【００３０】
コントローラ１９は、マイクロコンピュータ等で構成された電子回路ユニットであり、本発明における制御手段に相当するものである。このコントローラ１９は、図３のブロック図で示すように、室温センサ１６ａ〜１６ｄ、操作器２０および給排気装置１８ａ〜１８ｄとの間で、有線もしくは無線のＬＡＮ（図３では矢印線で表す）等を介して通信（各種データの授受）を行うことができるようになっている。その通信データをより具体的に説明すると、各室温センサ１６ａ〜１６ｄによる検出室温データが各室温センサ１６ａ〜１６ｄからコントローラ１９に与えられる。さらに、操作器２０から各部屋２〜５の風向および風量の設定データがコントローラ１９に与えられると共に、室温センサ１６ａ〜１６ｄからコントローラ１９が取得する各部屋２〜５の検出室温データが該コントローラ１９から操作器２０に与えられる。そして、コントローラ１９は、それらの与えられるデータに基づいて給排気装置１８ａ〜１８ｄにこれらの運転動作を規定する運転指令を送出して、該給排気装置１８ａ〜１８ｄの運転を制御する。
【００３１】
なお、エアコン装置７を有する和室２の室温センサ１６ａについては、該エアコン装置７に備えられたものを代用し、エアコン装置９およびファンヒータ１０を有する洋室３の室温センサ１６ｂについては、該エアコン装置９あるいはファンヒータ１０に備えられたものを代用してもよい。この場合には、コントローラ１９と、エアコン装置７，９やファンヒータ１０との間で無線もしくは有線で通信を行うようにして、エアコン装置７，９やファンヒータ１０から、コントローラ１９に検出温度データを与えるようにすればよい。
【００３２】
次に、以上説明した構成を有する本実施形態のシステムの作動を説明する。
【００３３】
部屋２〜５のうちのバス・トイレ室５を除く１つの部屋の室内空気を、他の１つの部屋に供給しようとする場合には、前記操作器２０の操作により、その供給元の部屋と供給先の部屋とが設定される。例えば、冬季において、和室２でのエアコン装置７の暖房運転や、日中の太陽熱などによって和室２が比較的暖かいものとなっている場合に、和室２の暖かい室内空気をファンヒータ１０等による洋室３の暖房の開始直後等の冷えた洋室１１に供給しようとする場合には、操作器２０により、和室２および洋室３がそれぞれ室内空気の供給元、供給先として設定される。より具体的には、操作器２０の部屋選択スイッチ２２により表示部２１に和室２を表示させた状態で、風向設定スイッチ２３の「出」ボタン２３ｃを操作し、さらに、部屋選択スイッチ２２により表示部２１に洋室３、脱衣室４、バス・トイレ室５を順番に表示させ、各部屋３〜５の表示中に、それぞれ風向設定スイッチ２３の「入」ボタン２３ａ、「ＯＦＦ」ボタン２３ｂ、「ＯＦＦ」ボタン２３ｂを操作する。これにより、和室２が室内空気の供給元として設定されると共に、洋室３のみが室内空気の供給先として設定される。このとき、コントローラ１９は、和室２の給排気装置１８ａの吸引運転を行わせ、且つ、洋室３の給排気装置１８ｂの給気運転を行なわせる。なお、脱衣室４とバス・トイレ室５の給排気装置１８ｃ，１８ｄは運転停止状態とされる。
【００３４】
これにより、和室２の暖かい室内空気がダクト１７を介して洋室３に供給され、洋室３がファンヒータ１０等の暖房運転により十分に暖められる前の洋室３の室温環境を比較的暖かい環境にすることができる。また、この場合、供給元の和室２の風量（給排気装置１８ａの吸引量）を操作器２０の風量設定スイッチ２４の操作により適宜設定することで、人の好みの風量で、和室３の室内空気が洋室４に供給される。このとき風量を大きくすれば、洋室４の昇温を早めることができ、また、風量を小さくすれば、洋室４の昇温をゆっくり行うことができる。
【００３５】
なお、上記と同様にして、供給先の部屋として、脱衣室４あるいはバス・トイレ室５を設定すれば、和室２の暖かい室内空気を脱衣室４あるいはバス・トイレ室５に供給することもできる。
【００３６】
また、夏季において、和室２がエアコン装置７の冷房運転等により冷えている場合には、上記と同様にして、操作器２０の操作によって和室２を供給元の部屋として設定すると共に、他の１つの部屋（和室２よりも室温の高い部屋）を供給先の部屋として設定すれば、その供給先の部屋に和室２の冷えた室内空気を供給して、該供給先の室温を下げることができる。
【００３７】
また、部屋２〜５のうちのバス・トイレ室５を除く１つの部屋の室内空気を、他の２つ以上の部屋に供給しようとする場合には、前記操作器２０の操作により、その１つの供給元の部屋と複数の供給先の部屋とが設定される。例えば冬季において和室２の暖かい室内空気を、洋室３および脱衣室４に供給しようとするする場合には、操作器２の操作により、洋室３と脱衣室４とが供給元の部屋として設定される。より具体的には、操作器２０の部屋選択スイッチ２２により表示部２１に和室２を表示させた状態で、風向設定スイッチ２３の「出」ボタン２３ｃを操作し、さらに、部屋選択スイッチ２２により表示部２１に洋室３、脱衣室４、バス・トイレ室５を順番に表示させ、各部屋３〜５の表示中に、それぞれ風向設定スイッチ２３の「入」ボタン２３ａ、「入」ボタン２３ａ、「ＯＦＦ」ボタン２３ｂを操作する。これにより、和室２が室内空気の供給元として設定されると共に、洋室３および脱衣室４が室内空気の供給先として設定される。さらに、この場合、供給先の部屋として洋室３および脱衣室４にそれぞれ対応させて、前記風量設定スイッチ２４を操作することで、和室２の室内空気の、洋室３および脱衣室４への分配割合が設定される。例えば和室２の室内空気を、主に、洋室３に供給しつつ、一部を脱衣室４に供給したい場合には、洋室３、脱衣室４にそれぞれ対応する風量が８０％、２０％というように設定される。
【００３８】
このとき、コントローラ１９は、和室２の給排気装置１８ａの吸引運転（より詳しくは、供給元の部屋としての和室２に対して設定された風量（吸引量）での吸引運転）を行わせ、且つ、洋室３の給排気装置１８ｂおよび脱衣室４の給排気装置１８ｃの給気運転を行わせる。さらに、この場合、洋室３および脱衣室４の給排気装置１８ｂ，１８ｃについては、それらのファンの回転速度が、設定された分配割合に応じた回転速度に制御される。
【００３９】
これにより、和室２の暖かい室内空気が、洋室３および脱衣室４の両者に、設定された分配割合で供給される。この場合、脱衣室４よりも洋室３の方が分配割合が高ければ、洋室３を脱衣室４よりもより早く昇温させることができ、逆に、洋室３よりも脱衣室４の方が分配割合が高ければ、脱衣室４を洋室３よりもより早く昇温させることができる。従って、例えば洋室３と脱衣室４との間を人が頻繁に行き来するような場合に、より在室時間の長い方の分配割合を高く設定すれば、より在室時間の長い方の部屋の室温環境の快適性を高めることができる。
【００４０】
なお、和室２以外の部屋（バス・トイレ室５を除く）の１つの部屋の室内空気を他の複数の部屋に分配供給する場合でも上記と同様にその分配供給を行うことができる。例えば夏季において、脱衣室４が比較的涼しいような場合には、その脱衣室４の冷えた室内空気を、洋室３や和室２等、複数の部屋に所望の分配割合で供給することができる。
【００４１】
以上のように本実施形態のシステムによれば、所望の供給元の部屋から、他の１つもしくは複数の所望の供給先の部屋に、室内空気を供給することができ、供給元の部屋の暖かい室内空気を他の部屋に供給してその供給先の部屋を暖めたり、供給元の部屋の冷たい室内空気を他の部屋に供給してその供給先の部屋を冷やしたりすることができ、供給元の部屋の暖かい室内空気や、冷たい室内空気を無駄に消失させずに有効に活用することができる。
【００４２】
なお、以上説明した実施形態では、室内空気の供給元の部屋を１つに限ったものを示したが、複数の部屋から１つ又は複数の部屋に室内空気を供給するようにすることも可能である。
【００４３】
また、前記実施形態では、ダクト１７を用いて各部屋相互間で室内空気を移動させる例を示したが、例えば、複数の部屋が一つの廊下に臨んで配置されているような家屋においては、各部屋と廊下との間の仕切り壁やドア等に、双方向の空気移動が可能な送風装置（例えば正逆両方向に回転可能なファン）を備えておき、供給元の部屋と供給先の部屋との間で廊下を介して室内空気を移動させるようにしてもよい。この場合には、供給元の部屋の送風装置を該部屋から廊下に向かって送風するように作動させると同時、供給先の部屋の送風装置を廊下から該部屋に向かって送風するように作動させることで、供給元の部屋から供給先の部屋への室内空気の移動を行うことができる。
【００４４】
また、例えば２つの隣接する部屋間でのみ、室内空気を移動させるようにする場合には、それらの２つの部屋間の仕切り壁やドア等に、双方向の空気移動が可能な送風装置を備えておき、その送風装置により両部屋間の室内空気の移動を行うようにしてもよい。
【図面の簡単な説明】
【図１】本発明の一実施形態のシステムを備えた家屋の内部構成を概略的に示す平面図。
【図２】実施形態のシステムに備えた操作器の要部構成を示す図。
【図３】実施形態のシステムに備えたコントローラと各種機器との関係を表すブロック図。
【符号の説明】
１…家屋、２，３，４，５…部屋、１７…ダクト（空気流通路、空気移動手段）、１８ａ〜１８ｄ…給排気装置（空気移動手段）、１９…コントローラ（制御手段）、２０…操作器（操作手段）。
【図１】
2004293851.tif 000003
【図２】
2004293851.tif 000004
【図３】
2004293851.tif 000005